(57)【特許請求の範囲】
【請求項１】
建造物の壁面に取付けた複数個の手摺り用ブラケットの上部に跨ってバー状の手摺りを取付ける手摺り用ブラケットにおいて、
前記手摺りの下部に、手摺りの長手方向に配線コードを通すための凹溝が形成される一方、
前記手摺り用ブラケット内に、ＬＥＤまたは光センサーを側方から収容するための側面開口を有する収容凹部が形成され、
この収容凹部の上部に、手摺りの凹溝と連通するコード挿通穴が形成され、
この収容凹部の上部に、手摺りの凹溝からの配線コードをコード挿通穴から収容凹部にガイドし、または収容凹部からの配線コードをコード挿通穴から手摺りの凹溝にガイドする斜面状のガイド部材が設けられるとともに、
手摺り用ブラケットの側面開口に、開閉可能なカバーが取付けられていることを特徴とする手摺り用ブラケット。
【請求項２】
前記カバーに、前記ＬＥＤまたは光センサーを取付けて、その発光部またはセンサー部を外部に臨ませる下部開口が形成されていることを特徴とする請求項１に記載の手摺り用ブラケット。
【請求項３】
前記ガイド部材は、正面視で下向き台形状に形成されて前記手摺りの凹溝に嵌り込むガイド本体と、このガイド本体の下部の一対の脚部とで構成されて、この一対の脚部は、前記手摺り用ブラケットの収容凹部の上部のコード挿通穴に連なるように形成された差し込み穴に差し込んで位置決めされることを特徴とする請求項１または２に記載の手摺り用ブラケット。
【発明の詳細な説明】
【技術分野】
【０００１】
本発明は、手摺りのほぼ真下の廊下や階段を照明するＬＥＤ（発光ダイオード）を後付けで組み込み可能な手摺り用ブラケットに関する。
【背景技術】
【０００２】
従来、図９に示すように、建造物の壁面１に取付けた複数個の手摺り用ブラケット２の上部に跨ってバー状の手摺り３を取付けるものがある（特許文献１参照）。
【０００３】
また、手摺り用ブラケット２の内部にＬＥＤ等を組み込んで、手摺り３のほぼ真下の廊下や階段を照明するものもある。
【先行技術文献】
【特許文献】
【０００４】
【特許文献１】特開２００９−１８５４８５号公報
【発明の概要】
【発明が解決しようとする課題】
【０００５】
ところで、施工現場において、手摺りを取付けながらＬＥＤ等の配線も同時に行われるのであれば、問題は少ないが、工事の進行状況等の関係から、通常、手摺り取付け作業とＬＥＤ等の配線作業は、それぞれの専門業者が日時を異にして別々に行わざるを得ないというのが実情である。
【０００６】
したがって、電気工事業者は、既に取付けられた手摺り用ブラケット２から手摺り３を取外す等してからＬＥＤ等の配線作業を行っていたから、この作業の後、手摺り工事業者は、手摺りの取付け状態を再検査する作業が必要となり、双方の工事業者の手間が増加するという問題があった。
【０００７】
本発明は、前記問題を解消するためになされたもので、手摺りを取付けた後でもＬＥＤ等の組み込みとその配線を後付けで簡単に行えるようにした手摺り用ブラケットを提供することを目的とするものである。
【課題を解決するための手段】
【０００８】
前記課題を解決するために、本発明は、建造物の壁面に取付けた複数個の手摺り用ブラケットの上部に跨ってバー状の手摺りを取付ける手摺り用ブラケットにおいて、前記手摺りの下部に、手摺りの長手方向に配線コードを通すための凹溝が形成される一方、前記手摺り用ブラケット内に、ＬＥＤまたは光センサーを側方から収容するための側面開口を有する収容凹部が形成され、この収容凹部の上部に、手摺りの凹溝と連通するコード挿通穴が形成され、この収容凹部の上部に、手摺りの凹溝からの配線コードをコード挿通穴から収容凹部にガイドし、または収容凹部からの配線コードをコード挿通穴から手摺りの凹溝にガイドする斜面状のガイド部材が設けられるとともに、手摺り用ブラケットの側面開口に、開閉可能なカバーが取付けられていることを特徴とする手摺り用ブラケットを提供するものである。
【０００９】
請求項２のように、前記カバーに、前記ＬＥＤまたは光センサーを取付けて、その発光部またはセンサー部を外部に臨ませる下部開口が形成されている構成とすることができる。
【００１０】
請求項３のように、前記ガイド部材は、正面視で下向き台形状に形成されて前記手摺りの凹溝に嵌り込むガイド本体と、このガイド本体の下部の一対の脚部とで構成されて、この一対の脚部は、前記手摺り用ブラケットの収容凹部の上部のコード挿通穴に連なるように形成された差し込み穴に差し込んで位置決めされる構成とすることができる。
【発明の効果】
【００１１】
本発明によれば、施工現場において、手摺り工事業者が建造物の壁面に複数個の手摺り用ブラケットを取付け、この手摺り用ブラケットの上部に跨ってバー状の手摺りを取付けて、手摺り工事業者の作業が完了した状態であるとする。
【００１２】
その後、電気工事業者等（ＤＣ電源を用いる場合には、法令上、電気工事資格保有者以外でも工事が可能である。）は、先ず、カバーを取外して手摺り用ブラケットの側面開口を開く。ついで、手摺りの凹溝に、配線コードを通して行く。この配線コードの先端部は、手摺り用ブラケットの位置で、ガイド部材の斜面に突き当たって下向きに方向変換される。その後、一側のコード挿通穴から手摺り用ブラケットの収容凹部内にスムーズにガイドされるようになる。この配線コードは側面開口から外部に適当な余長で引き出しておく。
【００１３】
その後、この配線コードを続けて隣りの手摺り用ブラケットのＬＥＤ等に結線する場合には、収容凹部から余長を持たせてループ状に引き出したまま、配線コードの先端部を他側のコード挿通穴に通して行く。この配線コードの先端部は、ガイド部材の斜面に突き当たって横向きに方向変換される。その後、手摺りの凹溝内にスムーズにガイドされて、凹溝に通されるようになる。以下同様にして、隣りの手摺り用ブラケットの収容凹部内にガイドして、側面開口から外部に適当な余長で引き出しておく。
【００１４】
このような配線作業をした後に、各カバーに取付けたＬＥＤ等に配線コードの余長部分の芯線を結線する。因みに、手摺り用ブラケットの収容凹部内にＬＥＤ等を取付けるタイプでは、狭い収容凹部内での結線作業が煩わしいものであったが、収容凹部の外部でＬＥＤ等に結線できることで、結線作業を簡単に行うことができる。
【００１５】
そして、各手摺り用ブラケットにおける結線の終了後に、配線コードの余長部分を収容凹部内に押し込みながら、各手摺り用ブラケットの側面開口を各カバーで閉じれば、電気工事業者等の作業が完了する。このようにして、手摺りを取付けた後でもＬＥＤ等の組み込みとその配線を後付けで簡単に行えるようになる。
【００１６】
請求項２によれば、カバーを側方開口から取外してＬＥＤ等を取付け、配線コードを側面開口から外部に引き出した状態で、手摺り用ブラケットの外部でＬＥＤ等に結線することができるから、結線作業を簡単に行うことができる。
【００１７】
請求項３によれば、ガイド部材のガイド本体の脚部を手摺り用ブラケットの差し込み穴に差し込んで位置決めした状態で、手摺り用ブラケットに手摺りを取付けると、ガイド部材のガイド本体が手摺りの凹溝に嵌り込むから、ガイド部材を位置決めする作業が不要になる。
【図面の簡単な説明】
【００１８】
【図１】本発明の実施形態の手摺りと手摺り用ブラケットの分解斜視図である。
【図２】図１の組み立て斜視図である。
【図３】図２の側面断面図である。
【図４】カバーを取付けた手摺り用ブラケットであり、（ａ）は斜視図、（ｂ）は平面図である。
【図５】（ａ）はカバーを取付けた手摺り用ブラケットの側面断面図、（ｂ）はカバーの斜視図である。
【図６】ガイド部材であり、（ａ）は平面図、（ｂ）は正面図、（ｃ）は底面図、（ｄ）は斜視図である。
【図７】ガイド部材であり、（ａ）は手摺り用ブラケットに取付けた斜視図、（ｂ）は手摺りの凹溝の嵌り込んだ斜視図である。
【図８】配線コードによる配線の要領を説明するための断面図である。
【図９】従来の手摺り用ブラケットに手摺りを取付けた斜視図である。
【発明を実施するための形態】
【００１９】
以下、本発明を実施するための形態について、図面を参照しながら詳細に説明する。図１は、手摺り５と手摺り用ブラケット６の分解斜視図、図２は、図１の組み立て斜視図、図３は、図２の側面断面図である。
【００２０】
図３のように、建造物の壁面７に複数個の手摺り用ブラケット６を取付け（図９の符号２を参照）、この各手摺り用ブラケット６の上部に跨ってバー状の手摺り５が取付けられている。
【００２１】
手摺り５は、例えば木製の丸棒材であり、この手摺り５の下部には、手摺り５の長手方向に配線コード１２（図８参照）を通すための凹溝５ａがほぼ全長に亘って形成されている。
【００２２】
手摺り用ブラケット６は、例えばアルミダイキャスト製であり、側面視で略Ｌ字状に屈曲された形状に成形されている。この手摺り用ブラケット６の内部には、壁面７と反対側の側面（前面）と下面とに跨って開口する側面開口６ａを有する収容凹部６ｂが形成されている。この収容凹部６ｂ内には、ＬＥＤ８または光センサー９（図１参照）を側面開口６ａから収容することができる。
【００２３】
ここで、ＬＥＤ８は、手摺り５（厳密には手摺り用ブラケット６）のほぼ真下の廊下や階段を照明するものであり、基本的には、全ての手摺り用ブラケット６に収容されるものである。しかし、省エネのために、照明が必要な暗さになった時だけ、またはこれに加えて、手摺り５に人が近づいた時だけＬＥＤ８を点灯させるために、周囲の明暗や人の接近を検出する光センサー９を必要とする場合がある。このような場合には、廊下の出入り口の近傍や階段の上り下り口の近傍の手摺り用ブラケット６に光センサー９を収容することができる。
【００２４】
手摺り用ブラケット６の収容凹部６の底部６ｃには、収容凹部６ｂ内から手摺り用ブラケット６を壁面７にねじで固定するためのねじ用穴６ｄがあけられている。
【００２５】
図４（ｂ）に示すように、収容凹部６ｂの上部６ｅには、収容凹部６ｂ内から手摺り５を手摺り用ブラケット６の上部６ｅにねじで固定するためのねじ用穴６ｆがあけられている。
【００２６】
収容凹部６ｂの上部６ｅには、手摺り５の凹溝５ａと連通する一対のコード挿通穴６ｇ，６ｈが手摺り５の方向に一定の間隔を隔てて形成され、この大径のコード挿通穴６ｇ、６ｈにそれぞれ連なるように半円状の小径の差し込み穴６ｉが形成されている。
【００２７】
収容凹部６ｂの上部６ｅには、手摺り５の凹溝５ａからの配線コード１２をコード挿通穴６ｇ（または６ｈ）から収容凹部６ｂにガイドし、または収容凹部６ｂからの配線コード１２をコード挿通穴６ｈ（または６ｇ）から手摺り５の凹溝５ａにガイドする斜面状のガイド部材１０が設けられている。
【００２８】
このガイド部材１０は、図６に詳細に示すように、正面視で下向き台形状に形成されて、図７、図８に示すように、両側に斜面１０ｃを有して、手摺り５の凹溝５ａに嵌り込むガイド本体１０ａと、このガイド本体１０ａの下部の一対の半円状脚部１０ｂとで構成されている。この一対の脚部１０ｂは、手摺り用ブラケット６の上部６ｅの差し込み穴６ｉにそれぞれ差し込んで位置決めされるようになる。この斜面１０ｃは、例えば４５度程度の傾斜状が好ましく、緩い円弧状であるのがより好ましい。
【００２９】
手摺り用ブラケット６の側面開口６ａを開閉可能なカバー１１は、例えば合成樹脂製であり、このカバー１１の下部１１ａの内面には、図１および図５に示すように、ＬＥＤ８または光センサー９を上方から差し込んで取付け可能な四角枠状のリブ１１ｂが形成されている。また、リブ１１ｂの内部には、リブ１１ｂに差し込んで取付けたＬＥＤ８または光センサー９の発光部またはセンサー部を外部に臨ませる下部開口１１ｃが形成されている。
【００３０】
このカバー１１は、手摺り用ブラケット６の側面開口６ａに撓ませながら無理嵌めすることで係止されて、側面開口６ａを閉じるとともに、側面開口６ａから撓ませながら引っ張ることで係止解除されて、側面開口６ａを開くようになる。
【００３１】
前記のような構成であれば、図８のように、施工現場において、手摺り工事業者が建造物の壁面７に複数個の手摺り用ブラケット６をねじで取付け、この手摺り用ブラケット６の上部に跨ってバー状の手摺り５をねじで取付けて、手摺り工事業者の作業が完了した状態であるとする。
【００３２】
その後、電気工事業者等（ＤＣ電源を用いる場合には、法令上、電気工事資格保有者以外でも工事が可能である。）は、先ず、カバー１１を取外して手摺り用ブラケット６の側面開口６ａを開き、カバー１１のリブ１１ｂに、ＬＥＤ８（または光センサー９）を上方から差し込んで取付ける。
【００３３】
ついで、図８の矢印ａのように、手摺り５の凹溝５ａに、２芯の平行した配線コード１２を通して行く。この配線コード１２の先端部は、手摺り用ブラケット６の位置で、ガイド部材１０の一側（図８では左側）の斜面１０ｃに突き当たって下向きに方向変換される（矢印ｂ参照）。その後、一側（図８では左側）のコード挿通穴６ｇから手摺り用ブラケット６の収容凹部６ｂ内にスムーズにガイドされるようになる。この配線コード１２は側面開口６ａから外部に適当な余長で引き出しておく。
【００３４】
その後、この配線コード１２を続けて隣りの手摺り用ブラケット６のＬＥＤ８（または光センサー９）に結線する場合には、収容凹部６ｂから余長を持たせてループ状に引き出したまま、配線コード１２の先端部を他側（図８では右側）のコード挿通穴６ｈに通して行く（矢印ｃ参照）。この配線コード１２の先端部は、ガイド部材１０の他側（図８では右側）の斜面１０ｃに突き当たって横向きに方向変換される（矢印ｄ参照）。その後、手摺り５の凹溝５ａ内にスムーズにガイドされて、凹溝５ａに通されるようになる。以下同様にして、隣りの手摺り用ブラケット６の収容凹部６ｂ内にガイドして、側面開口６ａから外部に適当な余長で引き出しておく。
【００３５】
このような配線作業をした後に、各カバー１１に取付けたＬＥＤ８（または光センサー９）に配線コード１２の余長部分の芯線を結線する。なお、各手摺り用ブラケット６の間隔が分かっていれば、配線コード１２の該当箇所の被覆を予め剥がして芯線を剥き出しておき、この芯線を折り曲げて、ＬＥＤ８（または光センサー９）の結線用穴に差し込むだけで結線することができる。
【００３６】
そして、各手摺り用ブラケット６における結線の終了後に、配線コード１２の余長部分を収容凹部６ｂ内に押し込みながら、各手摺り用ブラケット６の側面開口６ａを各カバー１１で閉じれば、電気工事業者等の作業が完了する。
【００３７】
このようにして、手摺り５を取付けた後でもＬＥＤ８（または光センサー９）の組み込みとその配線を後付けで簡単に行えるようになる。
【００３８】
また、ＬＥＤ８（または光センサー９）を取付けたカバー１１を側方開口６ａから取外して、配線コード１２を側面開口６ａから外部に引き出した状態で、手摺り用ブラケット６の外部でＬＥＤ８（または光センサー９）に結線することができる。因みに、手摺り用ブラケット６の収容凹部６ｂ内にＬＥＤ等を取付けるタイプでは、狭い収容凹部６ｂ内での結線作業が煩わしいものであったが、収容凹部６ｂの外部でＬＥＤ８（または光センサー９）に結線できることで、結線作業を簡単に行うことができる。
【００３９】
さらに、ガイド部材１０のガイド本体１０ａの脚部１０ｂを手摺り用ブラケット６の差し込み穴６ｉに差し込んで位置決めした状態で、手摺り用ブラケット６に手摺り５を取付けると、ガイド部材１０のガイド本体１０ａが手摺り５の凹溝５ａに嵌り込むから、ガイド部材１０を位置決めする作業が不要になる。
【００４０】
なお、ＬＥＤ８（または光センサー９）の電源として、ＡＣ電源をＤＣ電源に変換することができるが、ＤＣ電源である電池を用いることもできる。この場合には、適当な位置の手摺り用ブラケット６の収容凹部６ｂに、ＬＥＤ８（または光センサー９）に代えて、太陽光発電システムの蓄電池を収容することができる。
【符号の説明】
【００４１】
５      手摺り
５ａ    凹溝
６      手摺り用ブラケット
６ａ    側面開口
６ｂ    収容凹部
６ｅ    上部
７      壁面
８      ＬＥＤ
９      光センサー
１０    ガイド部材
１０ａ  ガイド本体
１０ｂ  脚部
１１    カバー
１１ｃ  下部開口
１２    配線コード
【図１】
0005401378.tif 000002
【図２】
0005401378.tif 000003
【図３】
0005401378.tif 000004
【図４】
0005401378.tif 000005
【図５】
0005401378.tif 000006
【図６】
0005401378.tif 000007
【図７】
0005401378.tif 000008
【図８】
0005401378.tif 000009
【図９】
0005401378.tif 000010